(57)【要約】      （修正有）【課題】予期しない撮像順序の入れ替えが発生した場合に、撮像計画に登録された順序で画像を並び替えて送信する機能を有する磁気共鳴撮像装置を提供する。【解決手段】複数の撮像単位から構成される複数の撮像計画が蓄積された、撮像計画記憶部５１と、被検体に対する検査依頼に基づき、前記複数の撮像計画の中から適切な撮像計画を選択し、選択された撮像計画を構成する前記撮像単位ごとに撮像の実行と、前記撮像における安全性および品質の少なくとも一方を管理する、撮像管理部２１と、前記選択された撮像計画を構成する撮像単位ごとに画像を取得する、撮像部８と、前記撮像における安全性および品質の少なくとも一方の管理に応じて、前記選択された撮像計画における撮像順序を変更する、撮像順序変更部２５と、撮像部８により取得された画像を前記選択された撮像計画に基づき並び替える、取得画像順序変更部２７と、を備えた。【選択図】図２
2015100681.tif 000002
【特許請求の範囲】
【請求項１】
複数の撮像単位から構成される複数の撮像計画が蓄積された、撮像計画記憶部と、
前記被検体に対する検査依頼に基づき、前記複数の撮像計画の中から適切な撮像計画を選択し、選択された撮像計画を構成する前記撮像単位ごとに撮像の実行と、前記撮像における安全性および品質の少なくとも一方を管理する、撮像管理部と、
前記選択された撮像計画を構成する撮像単位ごとに画像を取得する、撮像部と、
前記撮像における安全性および品質の少なくとも一方の管理に応じて、前記選択された撮像計画における撮像順序を変更する、撮像順序変更部と、
前記撮像部により取得された画像を前記選択された撮像計画に基づき並び替える、取得画像順序変更部と、
を備えたことを特徴とする磁気共鳴撮像装置。
【請求項２】
前記撮像単位のＳＡＲ（Specific Absorption Ratio）を取得し、撮像が実行された撮像単位および、未実施の撮像単位のＳＡＲの予測値を算出する、ＳＡＲ算出部、
をさらに備え、
前記撮像管理部は、所定の安全基準値に基づき、前記ＳＡＲ算出部で算出されたＳＡＲが所定の上限値を超えるか否かを判断し、
前記撮像順序変更部は、前記算出されたＳＡＲが前記所定の上限値を超える場合は、前記選択された撮像計画に登録された撮像単位のうち、前記撮像が未実施の撮像単位の撮像順序を入れ替えて、前記ＳＡＲが前記所定の上限値を超えないように撮像順序を変更すること、
を特徴とする請求項１に記載の磁気共鳴撮像装置。
【請求項３】
前記所定の安全基準値は、直近の６分間のＳＡＲを６分間で平均した６分平均ＳＡＲに対して規定された安全基準値であること、
を特徴とする請求項２に記載の磁気共鳴撮像装置。
【請求項４】
前記撮像単位について生成された画像を取得し、取得した画像の品質に基づき判定し、前記撮像単位について再撮像要否を判定する、再撮像判定部、
をさらに備え、
前記撮像管理部は、前記再撮像要否に応じて、再撮像が必要かどうかを判断し、
前記撮像順序変更部は、前記再撮像が必要な撮像単位について、前記撮像単位と同一条件の撮像単位を、前記撮像計画に登録された撮像単位のうち、前記撮像が未実施の撮像単位に新たに追加し撮像順序を変更すること、
を特徴とする請求項１に記載の磁気共鳴撮像装置。
【請求項５】
前記選択された撮像計画は、少なくとも、前記複数の撮像単位の撮像順序を示すシリーズ番号と、前記撮像単位を一意に特定する撮像単位ＩＤと、前記撮像単位の撮像条件とを含み、
前記撮像順序変更部は、前記選択された撮像計画において登録された前記シリーズ番号を変更することで前記撮像計画において登録された撮像単位の順序を変更すること、
を特徴とする請求項１乃至４の何れか１項に記載の磁気共鳴撮像装置。
【請求項６】
前記撮像部により取得された画像は、付帯情報として、少なくとも、前記複数の撮像単位について実際に撮像された順序を示すシリーズ番号と、前記撮像単位を一意に特定する撮像単位ＩＤとを含み、
前記取得画像順序変更部は、前記画像の付帯情報の前記撮像単位ＩＤに基づき、前記選択された撮像計画における前記撮像単位ＩＤに対応する前記シリーズ番号を取得し、前記画像の順序を前記選択された撮像計画のシリーズ番号を基準に変更すること
を特徴とする請求項５に記載の磁気共鳴撮像装置。
【請求項７】
前記撮像部により取得された画像は、さらに、取得した画像の再撮像要否情報を含み、
前記取得画像順序変更部は、前記画像の再撮像要否情報に基づき、前記再撮像により取得した複数の画像の中から必要な画像を選択し、選択された画像を用いて前記画像の並び替えを行うこと、
を特徴とする請求項６に記載の磁気共鳴撮像装置。
【請求項８】
前記撮像単位ごとに前記画像の再撮像要否情報を表示する、表示部と、
前記画像の再撮像要否情報に基づき、前記再撮像により取得した複数の画像の中から選択された画像の情報が入力される、入力部と、
をさらに備え、
前記取得画像順序変更部は、前記入力部からの入力に基づき選択された画像を用いて前記画像の並び替えを行うこと、
を特徴とする請求項７に記載の磁気共鳴撮像装置。
【請求項９】
コンピュータを、
複数の撮像単位から構成される複数の撮像計画を蓄積する記憶手段、
前記被検体に対する検査依頼に基づき、前記複数の撮像計画の中から適切な撮像計画を選択し、選択された撮像単位ごとに撮像の実行と、前記撮像における安全性および品質の少なくとも一方を管理する手段、
前記選択された撮像計画を構成する撮像単位ごとに画像を取得する手段と、
前記撮像における安全性および品質の少なくとも一方の管理に応じて、前記選択された撮像計画における撮像順序を変更する手段、
前記撮像部により取得された画像を前記選択された撮像計画に基づき並び替える手段、
として機能させるための磁気共鳴撮像装置のプログラム。
【発明の詳細な説明】
【技術分野】
【０００１】
本発明の一態様としての実施形態は、磁気共鳴撮像装置およびそのプログラムに関する。
【背景技術】
【０００２】
医療現場で使用される医用画像撮像装置（以下、モダリティ装置とする）による医用画像の取得は、体を傷つけずに体の内部を見て診断を下すことができるため、現代の医療において欠かせない技術となっている。多くの医療機関では医用画像を用いた診断を行う場合、医師による患者の問診に基づき必要な医用画像の撮影を放射線技師等に依頼する。依頼を受けた放射線技師等は患者の撮影を行う場合、患者の体位などから撮像のしやすい順序で撮像の計画を行う。しかしながら、放射線技師等が撮像しやすい順序が、医師等にとって観察のしやすい順序と一致するとは限らない。そこで、撮像した画像を表示する際に、表示順を変更する医用画像処理装置が提供されている（たとえば、特許文献１等）。
【０００３】
また近年、医療を取り巻く環境が急速に電子化され、医師からの検査依頼を、電子ネットワークを介して処理するオーダリングシステムである放射線科情報システム（ＲＩＳ：Radiology Information System）や、モダリティ装置で取得された画像を電子データとして蓄積する医用画像一元管理システム（ＰＡＣＳ：Picture Archiving and Communication Systems）などが発展してきている。医師からの検査依頼はＲＩＳを介して各モダリティ装置に伝達される。モダリティ装置側では、その検査依頼に対応する撮像計画が自動で生成され、その撮像計画に基づき放射線技師等は撮像を実行する。さらに、撮像計画はＰＡＣＳにも送信され、医師や読影医が診断を行う際に使用される。このように、モダリティ装置において自動で生成される撮像計画は、ＰＡＳ（Programmable anatomical scans）と呼ばれている。ＰＡＳは複数の撮像単位から成り、撮像の対象となる解剖学的部位ごとに作成される。このようなＰＡＳをデータベースとして蓄積し、適切な撮像計画をモダリティ装置側において自動で取得することができる画像診断装置が提供されている（たとえば、特許文献２等）。
【先行技術文献】
【特許文献】
【０００４】
【特許文献１】特開２００４-２８３３２５号公報
【特許文献２】特開２０１２-１５７６８８号公報
【発明の概要】
【発明が解決しようとする課題】
【０００５】
しかしながら、モダリティ装置側では安全性や品質にかかわる理由から、それぞれの撮像単位を実行するごとに、ハードウェアや取得した画像のチェックが行われ、異常がある場合はＰＡＳにおいて設定された撮像順序を入れ替えて撮像したり、既に完了した撮像単位を再度撮像したりするなどの措置を行う場合がある。
【０００６】
たとえば、磁気共鳴撮像（Magnetic Resonance Imaging）装置の場合、磁気共鳴信号を得るために高周波信号（ＲＦ信号）を被検体に印加する。高周波信号の印加は被検体を加熱し、被検体の体温を上昇させる。そこで、安全面の観点から、被検体の単位質量当たりに吸収されるエネルギーとしてＳＡＲ（Specific Absorption Ratio）が定義され、ＳＡＲの上限値、即ち安全基準値が、ＩＥＣ（International Electrotechnical Commission）規格（ＩＥＣ６０６０１−２−３３）として規定されている。このような安全基準の制約から、ＰＡＳに登録された撮像計画通りに撮像を行った場合、患者の体温が上昇しすぎないように、所定の時間撮像しない時間を設けなければならなくなるなど、時間的なロスを生じてしまう場合がある。そこで、実際は磁気共鳴撮像装置側で撮像順序を入れ替えて、ＳＡＲが基準値を超えないような撮像順序で撮影が行われる。また、ハードディスクの空き容量や、傾斜磁場コイルの劣化状況などによっても、効率を考慮し撮像順序の入れ替えが発生する場合がある。さらに、患者の体動などの要因によりアーチファクトが生じた場合は、その撮像単位を再撮像しなければならなくなる。再撮像した場合は、複数取得した画像の中から選択した画像のみを診断用として採用する必要がある。
【０００７】
上述のような撮像順序の変更や追加は意図せず発生するものであり、複数の撮像単位から構成される一つの連続した検査においてリアルタイムに発生する。これらの撮像順序の変更に関する情報伝達が正しく行われなかった場合、医師等はＰＡＳに記された通りに撮像が実行されたとの認識のもと診断を行うため混乱が生じる。加えて、放射線技師等との意思の疎通には、シリーズ番号と呼ばれる撮像順序を示す番号を用いて行われることが多い。シリーズ番号は、このような予期しない撮像順序の入れ替えが行った場合、実際に画像を生成した順序で採番される。したがって、ＰＡＳにおけるシリーズ番号と実際に生成された画像のシリーズ番号とは異なる番号となるため、意思の疎通が正しく行えない状況が発生する。従来はこのような撮像順序の入れ替えや再撮像などが発生した場合は、撮像後の画像を検像装置などに表示し、放射線技師等が手動で撮像順序を入れ替えたり、不要な画像を削除したりするなどの検像と呼ばれる作業を行っていた。しかしながら、このような検像には、専用の検像装置やソフトウェアの導入や、それらの装置を設置するスペースが必要であり、検像を実施する放射線技師等の時間的なコストが必要であった。
【０００８】
そこで、予期しない撮像順序の入れ替えが発生した場合に、撮像計画に登録された順序で画像を並び替えて送信する機能を有する磁気共鳴撮像装置が要望されている。
【課題を解決するための手段】
【０００９】
本実施形態に係る磁気共鳴撮像装置は、複数の撮像単位から構成される複数の撮像計画が蓄積された、撮像計画記憶部と、前記被検体に対する検査依頼に基づき、前記複数の撮像計画の中から適切な撮像計画を選択し、選択された撮像計画を構成する前記撮像単位ごとに撮像の実行と、前記撮像における安全性および品質の少なくとも一方を管理する、撮像管理部と、前記選択された撮像計画を構成する撮像単位ごとに画像を取得する、撮像部と、前記撮像における安全性および品質の少なくとも一方の管理に応じて、前記選択された撮像計画における撮像順序を変更する、撮像順序変更部と、前記撮像部により取得された画像を前記選択された撮像計画に基づき並び替える、取得画像順序変更部と、を備えたことを特徴とする。
【図面の簡単な説明】
【００１０】
【図１】実施形態に係る磁気共鳴撮像装置の一例を示す概念的な構成図。
【図２】実施形態に係る磁気共鳴撮像装置の第１の実施形態の機能構成例を示す機能ブロック図。
【図３】実施形態に係る磁気共鳴撮像装置の第１の実施形態の動作の一例を示すフローチャート。
【図４】実施形態に係る磁気共鳴撮像装置の第１の実施形態におけるＳＡＲ安全基準の上限値を超えていないかの判断方法を説明する図。
【図５】実施形態に係る磁気共鳴撮像装置の第１の実施形態におけるＳＡＲ上限値による撮像順序の変更を説明する図。
【図６】実施形態に係る磁気共鳴撮像装置の第１の実施形態における取得画像の撮像単位ＩＤからＰＡＳのシリーズ番号を検索する方法を説明する図。
【図７】実施形態に係る磁気共鳴撮像装置の第１の実施形態における取得画像の並び替えを説明する図。
【図８】実施形態に係る磁気共鳴撮像装置の第２の実施例の機能構成例を示す機能ブロック図。
【図９】実施形態に係る磁気共鳴撮像装置の第２の実施形態の動作の一例を示すフローチャート。
【図１０】実施形態に係る磁気共鳴撮像装置の第２の実施形態における再撮像による撮像順序の変更を説明する図。
【図１１】実施形態に係る磁気共鳴撮像装置の第２の実施形態における撮像が完了した状態の撮像実行計画を説明する図。
【図１２】実施形態に係る磁気共鳴撮像装置の第２の実施形態における取得画像の撮像単位ＩＤからＰＡＳのシリーズ番号を検索する方法を説明する図。
【図１３】実施形態に係る磁気共鳴撮像装置の第２の実施形態における取得画像の並び替えを説明する図。
【図１４】実施形態に係る磁気共鳴撮像装置の第２の実施形態における再撮像画像の選択方法を説明する図。
【発明を実施するための形態】
【００１１】
本発明に係る磁気共鳴撮像装置の実施の形態について添付図面を参照して説明する。
【００１２】
（１）構成
図１は、実施形態に係る磁気共鳴撮像装置の一例を示す概念的な構成図である。図１に示すように、実施形態に係る磁気共鳴撮像装置１００は、撮像部８とコンピュータ７とから構成されており、撮像部８は、静磁場を発生させる静磁場電源１、静磁場に位置情報を付加するための傾斜磁場電源２（２Ｘ、２Ｙ、２Ｚ）、高周波信号を送受信するＲＦ受信器３およびＲＦ送信器４、ＳＡＲ測定器５、所定のパルスシーケンスを実行するシーケンスコントローラ６、被検体Ｐ（患者）を載せる寝台部９、磁石架台１０を備えた構成である。また、コンピュータ７は磁気共鳴撮像装置１００全体のコントロールを担う構成である。
【００１３】
磁石架台１０は、静磁場磁石１１、傾斜磁場コイル１２、ＲＦコイル１３等を有しており、これらの構成品は概略円筒形のガントリに収納されている。
【００１４】
磁石架台１０の静磁場磁石１１は、被検体Ｐの撮像領域であるボア（静磁場磁石１１の円筒内部の空間）内に静磁場を発生させる。静磁場磁石１１は超電導コイルを内蔵し、励磁モードでは静磁場電源１から供給される電流を超電導コイルに印加することで静磁場を発生する。その後、永久電流モードに移行すると、静磁場電源１は切り離される。静磁場磁石１１は、液体ヘリウムによって超電導コイルが極低温に冷却されており、静磁場磁石１１内部を極低温に保つための熱シールドを低温に保持するための液体ヘリウムによって冷却される。
【００１５】
傾斜磁場コイル１２も概略円筒形状をなし、静磁場磁石１１の内側に固定されている。この傾斜磁場コイル１２は、傾斜磁場電源２（２Ｙ、２Ｙ、２Ｚ）から供給される電流によりＸ軸，Ｙ軸，Ｚ軸の方向に傾斜磁場を印加する。
【００１６】
ＳＡＲ測定器５は、ＲＦ送信器４が実際に出力したＲＦ信号から、被検体Ｐが吸収するエネルギー量（ＳＡＲ）を測定する。測定したＳＡＲは、シーケンスコントローラ６を介してコンピュータ７に伝達される。
【００１７】
シーケンスコントローラ６は、磁気共鳴撮像装置１００の撮像部８における撮像条件の制御を行う。シーケンスコントローラ６では、撮像単位ごとに設定された撮像条件に基づき撮像シーケンスの制御を行う。撮像シーケンスはＰＡＳに登録された撮像条件に応じて、シーケンスコントローラ６がＲＦ受信器３およびＲＦ送信器４等を制御することで実行される。
【００１８】
コンピュータ７は、その内部構造として主制御部２０、入力部３０、表示部４０、記憶部５０、通信制御装置６０などを備えた構成である。ＲＩＳ２００から通信制御装置６０を介して取得した検査依頼に基づき、記憶部５０に格納された複数のＰＡＳが記憶されたデータベースから検査依頼に対応するＰＡＳが選択される。選択されたＰＡＳに基づき、記憶部５０に格納されたプログラムがプロセッサを有する主制御部２０によって実行されることで、ＰＡＳに登録された撮像条件通りに、シーケンスコントローラ６が撮像シーケンスを実行する。また、記憶部５０に格納されたプログラムを主制御部２０が実行することで、設定された撮像条件およびＳＡＲ実測値から、被検体Ｐの生体組織１ｋｇに吸収されるＲＦ信号のエネルギー（ＳＡＲ：Specific Absorption Ratio）等が算出され、安全基準内で撮像が実行されるようにシーケンスコントローラ６に撮像順序の変更を要求する。さらに、コンピュータ７は、ＲＦ受信器３から取得したデータをシーケンスコントローラ６経由で取得し、画像の再構成や、画像の品質を評価し、再撮像が必要な撮像単位の撮像をシーケンスコントローラ６に要求する。このようにして取得された画像は、コンピュータ７の記憶部５０に格納されたプログラムが主制御部２０に実行されることよって、その順序が編集され、通信制御装置６０を介してＰＡＣＳ３００に送信される。
【００１９】
記憶部５０は、ＲＡＭとＲＯＭをはじめとする記憶媒体などにより構成され、磁気的もしくは光学的記憶媒体または半導体メモリなどの、主制御部２０により読み取り可能な記憶媒体を含んだ構成を有する。
【００２０】
入力部３０は、たとえばキーボード、タッチパネル、テンキー、マウスなどの一般的な入力装置により構成される。
【００２１】
表示部４０は、たとえば液晶ディスプレイやＯＬＥＤ（Organic Light Emitting Diode）ディスプレイなどの一般的な表示装置により構成され、主制御部２０の制御に応じて、撮像順序や算出されたＳＡＲなどを表示する。
【００２２】
通信制御装置６０は、ネットワークの形態に応じた種々の情報通信用プロトコルを実装する。通信制御装置６０は、この各種プロトコルに従って磁気共鳴撮像装置１００とＲＩＳ２００やＰＡＣＳ３００などの外部記憶装置や他の電気機器と接続する。この接続には、電子ネットワークを介した電気的な接続などを適用することができる。ここで電子ネットワークとは、電気通信技術を利用した情報通信網全般を意味し、病院基幹ＬＡＮなどの無線／有線ＬＡＮやインターネット網のほか、電話通信回線網、光ファイバ通信ネットワーク、ケーブル通信ネットワークおよび衛星通信ネットワークなどを含む。
【００２３】
（２）動作
本実施形態に係る磁気共鳴撮像装置１００の動作について、ＰＡＳに登録された撮像単位の撮像順序の変更が発生する要因として、ＳＡＲの安全基準値に係る制御と、再撮像の実行に係る制御とを例とし、それぞれＳＡＲの安全基準値に係る制御を「第１の実施形態」、再撮像の実行に係る制御を「第２の実施形態」として説明する。
【００２４】
（第１の実施形態）
図２は、実施形態に係る磁気共鳴撮像装置１００の第１の実施形態の機能構成例を示す機能ブロック図である。第１の実施形態は、ＳＡＲの安全基準値に係る制御による撮像順序の変更が行われた場合に関する。
【００２５】
図２が示すように、磁気共鳴撮像装置１００は、撮像計画記憶部５１、撮像管理部２１、ＳＡＲ算出部２３、撮像順序変更部２５、取得画像順序変更部２７、表示部４０を有する。そのうち、撮像管理部２１、ＳＡＲ算出部２３、撮像順序変更部２５、取得画像順序変更部２７は記憶部５０に格納されたプログラムが主制御部２０を介して実行されることで実現する機能である。
【００２６】
撮像計画記憶部５１は、複数の撮像単位から構成され、解剖学的部位ごとに作成されたＰＡＳと呼ばれる撮像計画が複数蓄積されたデータベースである。
【００２７】
撮像管理部２１は、オーダリングシステムであるＲＩＳ２００を介して医師等の検査依頼を受信し、検査依頼に対応するＰＡＳを撮像計画記憶部５１から選択する。検査依頼に対応するＰＡＳの選択方法は、たとえば、検査依頼から患者の撮像対象となる「解剖学的部位」と「撮像方法」とを取得し、これらをキーとして撮像計画記憶部５１のデータベースを検索することで選択するといった、一般的なデータベースの検索方法によって選択されてもよいし、特許文献２に記載されている方法であってもよい。撮像管理部２１では、検査依頼に対応する適切なＰＡＳが撮像計画記憶部５１から抽出される。
【００２８】
また、撮像管理部２１は、選択したＰＡＳに登録された情報に基づき「撮像実行計画」を生成し、撮像部８に撮像を実行させる。撮像管理部２１で生成される撮像実行計画は、ＰＡＳに登録された撮像計画のコピーであり、少なくとも撮像に必要な撮像順序、撮像単位名称、撮像単位ＩＤ、および、撮像条件を含む情報である。撮像は撮像実行計画に従って撮像単位ごとに実行される。第１の実施形態では、撮像単位ごとにＳＡＲの安全基準に基づく検証が行われる。また、表示部４０に撮像実行計画が表示される。
【００２９】
ＳＡＲ算出部２３は、６分平均ＳＡＲ、１０秒平均ＳＡＲなどがそれぞれ算出される。６分平均ＳＡＲ、１０秒平均ＳＡＲは、ＳＡＲ測定器５で測定されたＳＡＲ実測値に基づいて算出される。６分平均ＳＡＲは、ＳＡＲ測定器５で取得したＳＡＲ実測値の直近６分間の平均値である。同様に、１０秒平均ＳＡＲは、ＳＡＲ測定器５で取得したＳＡＲ実測値の直近１０秒の平均値である。また、ＳＡＲ算出部２３は、ＳＡＲ測定器５で取得したＳＡＲ実測値に基づき、既に実行した撮像単位の６分平均ＳＡＲなどや、一定時間経過後のＳＡＲ予測値、または、未実施の撮像単位が実行された場合のＳＡＲ予測値などを算出することができる。
【００３０】
撮像管理部２１は、ＳＡＲ算出部２３において算出された値に基づき、安全基準で定められた上限値を超えないように撮像を監視する。その方法として、ＳＡＲ算出部２３で算出された一定時間経過後または、未実施の撮像単位が実行された場合の予測値が、安全基準で定められた上限値を超えるか否かを判定し、予測値が安全基準を超える場合は、撮像順序変更部２５に撮像実行計画の撮像順序を変更させる。変更された撮像実行計画は表示部４０に表示される。撮像順序変更部２５での撮像順序の変更方法については後述する。
【００３１】
取得画像順序変更部２７は、ＰＡＳに登録された撮像順序に基づき、撮像部８で取得した画像の並び替えを行う。撮像部８で生成された画像には付帯情報として、少なくとも、複数の撮像単位について実際に撮像された順序を示すシリーズ番号と、撮像単位を一意に特定する撮像単位ＩＤとが付与されている。ここで、付帯情報とは、異なるモダリティ装置により撮像された画像を、標準化されたデータ形式や通信方法で扱うための世界標準規格として定められた、ＤＩＣＯＭ（Digital Imaging and COmmunication in Medicine）規格において定められたデータ領域であり、画像の識別情報や患者情報などの情報が格納される。また、ＰＡＳは、少なくとも、複数の撮像単位の撮像順序を示すシリーズ番号と、撮像単位を一意に特定する撮像単位ＩＤと、撮像単位の撮像条件とを含むデータである。画像の付帯情報の撮像単位ＩＤと、ＰＡＳの撮像単位ＩＤとは共通の情報であり、取得画像順序変更部２７は撮像単位ＩＤをキーとしてＰＡＳのシリーズ番号を取得し、取得した画像を並び替える。並び替えられた画像はＰＡＣＳ３００などの外部の記憶装置へ送信される。取得画像順序変更部２７での並び替え方法は後述する。
【００３２】
図３は、実施形態に係る磁気共鳴撮像装置１００の第１の実施形態の動作の一例を示すフローチャートである。
【００３３】
ＳＴ１０１では、撮像管理部２１が検査依頼に応じたＰＡＳを撮像計画記憶部５１から選択し、それに基づき撮像実行計画を生成する。
【００３４】
ＳＴ１０３では、撮像部８が撮像実行計画を構成する撮像単位について、すべての撮像が終了したか判定し、終了するまで順に撮像を実行する（ＳＴ１０５）。
【００３５】
ＳＴ１０７では、ＳＡＲ測定器５により取得されたＳＡＲ実測値に基づき、ＳＡＲ算出部２３が実行された撮像単位のＳＡＲや、未実施の撮像単位についてＳＡＲ予測値を算出し、撮像管理部２１において、ＳＡＲ安全基準の上限値を超えていないかが判断される。
【００３６】
ＳＴ１０９では、撮像順序変更部２５が、ＳＡＲ安全基準の上限値を超えないように、撮像順序の変更が行われる。
【００３７】
ＳＴ１１１では、撮像によって取得したデータが再構成され、画像が取得される。
【００３８】
図４は、実施形態に係る磁気共鳴撮像装置１００の第１の実施形態におけるＳＡＲ安全基準の上限値を超えていないかの判断方法を説明する図である。図４（ａ）に示したのは、撮像管理部２１が検査依頼に応じたＰＡＳから生成した撮像実行計画を例示した表である。撮像実行計画の表には、左から、「シリーズ番号」、「撮像単位名称」、「６分平均ＳＡＲ」、「個別ＳＡＲ」、「時間」、撮像単位の実行状況を示す「状況」が記載されている。
【００３９】
図４（ａ）の撮像実行計画には５つの撮像単位が記載されており、１段目のシリーズ番号「１０００」（撮像単位名称：「Locator 3 Axis」）は、たとえば、Ｘ方向、Ｙ方向、Ｚ方向のそれぞれ１枚ずつの位置決め用画像を、２分間（「時間」欄の「2:00」）撮像することを示している。２段目のシリーズ番号「２０００」（撮像単位名称：「Shimming」）は、磁場の均一性等を調整するための撮像を３分間（「時間」欄の「3:00」）撮像することを示している。３段目のシリーズ番号「３０００」（撮像単位名称：「３Ｄ ＴＯＦ」）は、３次元画像を得るために、ＴＯＦ（Time of Flight）法による撮像を３分間（「時間」欄の「3:00」）撮像することを示している。以下同様に、たとえば、４段目のシリーズ番号「４０００」（撮像単位名称：「Ｔ１Ｗ ＡＸ」）は、アキシャル面のＴ１強調撮像を４分間（「時間」欄の「4:00」）行うことを示している。５段目のシリーズ番号「５０００」（撮像単位名称：「Ｔ２Ｗ ＡＸ」）は、アキシャル面のＴ２強調撮像を２分間（「時間」欄の「2:00」）行うことを示している。
【００４０】
また、前述したように、ＳＡＲ（単位はＷ/ｋｇ）は、生体組織１ｋｇに吸収されるＲＦ信号のエネルギーとして定義されており、直近の６分間に生体組織１ｋｇに吸収されるＲＦ信号のエネルギーを６分で除した値が６分平均ＳＡＲ（Ｗ/ｋｇ）である。これらに対して、上記の個別ＳＡＲは、個別の撮像単位を撮像時間Ｔだけ継続したときに生体組織１ｋｇに吸収されるＲＦ信号のエネルギーを撮像時間Ｔで除した値である。所定のパルスシーケンスを有するある撮像単位の撮像を撮像時間Ｔだけ行ったとき、生体組織１ｋｇに吸収されるＲＦ信号のエネルギーは、撮像時間Ｔが長くなるほど大きくなるが、そのエネルギーを撮像時間Ｔで除した値は、撮像時間Ｔに依存しない値となり、撮像単位ごとの個別の平均的なＳＡＲの大きさ（すなわち、ＲＦ信号のエネルギーの強さ）を示す。この値を個別ＳＡＲと定義している。
【００４１】
図４（ａ）に示した６分平均ＳＡＲおよび個別ＳＡＲはＳＡＲ算出部２３によって算出された値であり、状況が「済」となっている撮像単位においては、ＳＡＲ実測値に基づく実際のＳＡＲ値であり、状況が「実行中」または「未」となっている撮像単位においては、既に実行した撮像単位において取得したＳＡＲ実測値および、実行予定の撮像単位の撮像条件などからＳＡＲ算出部２３が予測したＳＡＲ値である。図４（ａ）に示された６分平均ＳＡＲおよび個別ＳＡＲは、それぞれ１段目の「Locator 3 Axis」では「0.33」、「1.00」、２段目の「Shimming」では「1.25」、「1.50」、３段目の「３Ｄ ＴＯＦ」では「1.63」、「1.75」、４段目の「Ｔ１Ｗ ＡＸ」では「2.05」、「2.20」、５段目の「Ｔ２Ｗ ＡＸ」では「1.88」、「1.25」である。
【００４２】
図４（ｂ）は、ＳＡＲ算出部２３で算出された６分平均ＳＡＲの推移を示したグラフである。縦軸はＳＡＲ算出部２３で算出された、実測および予測の６分平均ＳＡＲ値（Ｗ/ｋｇ）を示しており、横軸は時間(分）を示している。図４（ａ）の表に例示する通り、３段目の「３Ｄ ＴＯＦ」が実行中の状態での６分平均ＳＡＲの推移を示している。図４（ｂ）のグラフに示されるように、実線で示したグラフは実行済みの撮像単位について算出された６分ＳＡＲに基づくグラフである。また、破線で示したグラフは、実行中の３段目の「３Ｄ ＴＯＦ」について、実測されたＳＡＲ値をもとにこの撮像が完了した後の６分平均ＳＡＲの予測値を示すグラフである。１点鎖線で示したグラフは、先の撮像単位で取得されたＳＡＲ実測値および撮像条件から予測される、４段目の「Ｔ１Ｗ ＡＸ」および５段目の「Ｔ２Ｗ ＡＸ」が実行された場合の６分平均ＳＡＲの予測値を示すグラフである。図４（ｂ）のグラフが示すように、ＳＡＲの安全基準値が２．０Ｗ／ｋｇである場合、図４の（ａ）の表において次に実行予定の４段目の「Ｔ１Ｗ ＡＸ」の６分平均ＳＡＲの予測値が、安全基準値を上回ってしまう。そこで、撮像管理部２１では、このままの撮像順序で撮像を実行することができないと判断し、撮像実行計画の変更を撮像順序変更部２５に要求する。
【００４３】
図５は、実施形態に係る磁気共鳴撮像装置１００の第１の実施形態におけるＳＡＲ上限値による撮像順序の変更を説明する図である。図５（ａ）は、図４（ａ）と同様に、撮像実行計画を例示した表を示している。また、図５（ｂ）も、図４（ｂ）と同様に、ＳＡＲ算出部２３で算出された６分平均ＳＡＲの実測値および予測値のグラフである。
【００４４】
図５（ａ）の表において、図４（ａ）の表と異なるのは、４段目と５段目の撮像単位の撮像順序が入れ替わっている点である。図５の例では、４段目と５段目の撮像単位の撮像順序を入れ替えたことにより、図５（ｂ）に２点鎖線が示すように、順序変更後の６分平均ＳＡＲ予測値は、変更前と比較して上昇が緩やかになり、ＳＡＲ安全基準値の上限値を超えることなく、連続した撮像が実施可能となる。
【００４５】
図４（ａ）および図５（ａ）に示されるように、撮像単位の撮像順序が入れ替わった場合でも、シリーズ番号は撮像順序を示す番号であるため、撮像単位の順序変更に伴って並び替えは発生せず、撮像が実行される順に昇順に採番される。すなわち、図４（ａ）において４段目に示された、シリーズ番号「４０００」の撮像単位名称「Ｔ１Ｗ ＡＸ」は、図５（ａ）の表において５段目に示され、シリーズ番号は「５０００」が新たに採番される。同様に、図４（ａ）において５段目に示された、シリーズ番号「４０００」の撮像単位名称「Ｔ２Ｗ ＡＸ」は、図５（ａ）において４段目に順序が繰り上がり、シリーズ番号は「４０００」が新たに採番される。
【００４６】
図５に示されるように、撮像実行計画において実行される撮像単位の順序が変更されると、その順序に応じてシリーズ番号が昇順で採番される。診断または読影を行う医師等は、ＰＡＳに登録された撮像順序をもとに画像を観察するため、取得した画像のシリーズ番号が想定と異なり、撮像を行った放射線技師等に確認する作業が発生する。また、図４（ａ）および図５（ａ）に例示されたような表が表示部４０に表示され、このような順序変更の発生があった場合、従来は順序変更があった旨を放射線技師等が手動で記録していた。そして、その記録をもとに、撮像順序の変更が発生したという情報を医師等に伝達したり、別途設けられている検像装置などで順序を入れ替えたりするなどの手間が必要であった。さらに、磁気共鳴撮像装置１００の設定によっては、自動で撮像順序の変更が実行されることもあるため、順序変更の情報を記録が漏れる可能性もある。そのような場合は、医師等と放射線技師等の間で、シリーズ番号や画像の順序などに基づき意思の疎通を図ろうとした場合、混乱が生じることとなり、取得した画像情報の信頼性が担保できないことにもなりかねない。また、撮像単位名称は、Ｔ１強調画像を「Ｔ１」という文字列で示したり、Ｔ２強調画像「Ｔ２」という文字列で示したり、略称を用いて示されることが多い。そのため、情報を伝達する場合や、手動で撮像単位の変更を行う場合などには、Ｔ１強調画像を示す「Ｔ１」という文字列と、Ｔ２強調画像を示す「Ｔ２」という文字列を誤認するなどのヒューマンエラーが発生し得る。
【００４７】
そこで、本実施形態に係る磁気共鳴撮像装置１００は、ＳＡＲの安全基準のように、患者または個々の検査ごとに発生する撮像順序の変更により画像の順序が変更された場合に、取得した画像の順序をＰＡＳに登録されている撮像順序で並び替えてＰＡＣＳ３００などの外部の記憶装置に送信する。それにより、読影などのユーザは、検像装置などを介さず磁気共鳴撮像装置１００から出力される画像を観察し診断することができる。
【００４８】
図３のＳＴ１１３では、取得画像順序変更部２７が、順序変更後の撮像実行計画に登録された順序で取得された画像を、ＰＡＳに登録された順序に並び替えるため、対応するＰＡＳを撮像計画記憶部５１から取得する。
【００４９】
ＳＴ１１５では、取得画像順序変更部２７が、取得した画像をＰＡＳに登録された順序に並び替える。取得した画像の付帯情報には、撮像単位を一意に特定するための撮像単位ＩＤが含まれている。その撮像単位ＩＤをキーとしてＰＡＳに登録された撮像計画から、撮像単位ＩＤに対応するシリーズ番号を取得することで、画像の並び替えを行う。
【００５０】
ＳＴ１１７では、取得画像順序変更部２７が、並び替えた画像を電子ネットワーク経由でＰＡＣＳ３００などの外部の記憶装置に送信する。
【００５１】
図６は、実施形態に係る磁気共鳴撮像装置１００の第１の実施形態における取得画像の撮像単位ＩＤからＰＡＳのシリーズ番号を検索する方法を説明する図である。図６の（ａ）は、ＰＡＳに登録されている撮像計画の情報を示す表である。図６（ａ）の表は左から、「シリーズ番号」、「撮像単位名称」、「撮像単位ＩＤ」、複数の撮像条件（「撮像条件１（撮像時間）」、「撮像条件２（フリップ角）」）が示されている。撮像単位の順序は、図４（ａ）に示した、撮像管理部２１で生成された撮像実行計画の順序と同じである。図６（ａ）で示す撮像単位ＩＤは、撮像単位を一意に特定するためにつけられた符号であり、アルファベットや数字などの組み合わせで構成された内部コードである。図６（ａ）では、撮像単位ＩＤをアルファベット４文字で構成したものを例示しているが、これに限定されるものではなく、撮像単位を一意に特定できるコード体系であれば限定されない。この撮像単位ＩＤは撮像単位に関連付された状態で保持されているため、図４および図５で示したように、撮像単位の順序が入れ替わった場合であっても、関連する撮像単位を特定することができる。
【００５２】
図６（ｂ）の表は、画像の付帯情報を示している。左から「シリーズ番号」、「撮像単位名称」、「撮像単位ＩＤ」が示されている。図６（ｂ）の表に示した画像の付帯情報は、図５（ａ）で示した撮像順序変更部２５で変更された後の撮像実行計画に登録された順序で撮像された画像である。したがって、図６（ａ）と比較して、図６（ｂ）の表では、４段目が「Ｔ２Ｗ ＡＸ」で５段目が「Ｔ１Ｗ ＡＸ」となっており、撮像単位の順序が入れ替わっている。
【００５３】
図６（ｃ）の表は、図６（ｂ）の表の撮像単位ＩＤをキーとして、図６（ａ）のＰＡＳのシリーズ番号を検索した結果を示している。上述したように、ＰＡＳの撮像順序と比較して、取得画像の順序では４段目と５段目に順序変更が発生している。したがって、画像の付帯情報の撮像単位ＩＤをキーとして取得される画像の付帯情報の撮像単位ＩＤに対応するＰＡＳのシリーズ番号は、図６（ｃ）の表に示すように４段目が「５０００」、５段目が「４０００」となる。このＰＡＳのシリーズ番号が昇順になるように、画像を並び替えることで、ＰＡＳに登録された順序で画像を並び替えることができる。
【００５４】
図７は、実施形態に係る磁気共鳴撮像装置１００の第１の実施形態における取得画像の並び替えを説明する図である。図７は、上から、図６（ｃ）に示した画像の付帯情報の撮像単位ＩＤ基づき取得されたＰＡＳのシリーズ番号、画像の付帯情報のシリーズ番号、取得画像の順序、並び替え後の取得画像の順序を示している。図６と同様に、取得した画像は、ＰＡＳに登録された順序と比較して、左から４つ目が（Ｔ２Ｗ ＡＸ）であり、５つ目の（Ｔ１Ｗ ＡＸ）と入れ替わった順序で取得されている。一番上のＰＡＳのシリーズ番号に合わせて、取得した画像の順序を矢印で示すように入れ替えることで、並び替え後の画像の順序は４つ目が（Ｔ１Ｗ ＡＸ）で５つ目を（Ｔ２Ｗ ＡＸ）に並び替えることができる。
【００５５】
なお、第１の実施形態では、６分平均ＳＡＲの安全基準を用いて説明したが、１０秒平均ＳＡＲの安全基準でも同様である。
【００５６】
このように、ＳＡＲの安全基準による制約で、検査実行中に撮像順序の変更が生じた場合に、取得した画像をＰＡＳに登録された順序で並び替えてＰＡＣＳ３００等に出力することで、検像にかかる検像装置の導入コストや、検像を行う時間などの人的コストを省くことができる。さらに、磁気共鳴撮像装置１００のようなモダリティ装置側の事情で撮像順序の変更が発生し、取得した画像の順序が変更された場合であっても、モダリティ装置内で取得画像の順序を当初計画されていた撮像順序通りに並び替えて他の機器に出力することにより、シームレスに画像を扱うことができる。
【００５７】
（第２の実施形態）
第２の実施形態は、磁気共鳴撮像装置１００において再撮像の実行に係る制御に関する。再撮像は、たとえば、被検体Ｐの体動や傾斜磁場コイルの劣化等により、画像にアーチファクトが発生した場合などに発生する。再撮像は、撮像を行う放射線技師等が取得した画像を確認して手動で設定されてもよいし、アーチファクトを自動で検出し、再撮像が設定されてもよい。
【００５８】
図８は、実施形態に係る磁気共鳴撮像装置１００の第２の実施例の機能構成例を示す機能ブロック図である。図２に示した第１の実施形態とは、ＳＡＲ算出部２３にかえて、再撮像判定部２９を有する点が異なる。再撮像判定部２９は、記憶部５０に格納されたプログラムが主制御部２０の制御によって実行されることで実現される機能である。
【００５９】
再撮像判定部２９は、撮像部８から撮像データを取得し、アーチファクトの有無などの判定基準に基づき、その撮像単位について再撮像が必要か否かを判定する。アーチファクトの有無は、たとえば、表示部４０に再構成した画像を表示し、放射線技師等が目視で確認することによって判定されてもよいし、撮像データを解析することにより自動で判定されてもよい。再撮像が必要な場合は、再撮像の対象となる撮像単位の情報が撮像順序変更部２５に伝達され、撮像順序変更部２５が撮像実行計画の編集を行う。
【００６０】
図９は、実施形態に係る磁気共鳴撮像装置１００の第２の実施形態の動作の一例を示すフローチャートである。なお、図９では、第１の実施形態と異なる箇所についてのみ説明する。第１の実施形態のフローチャートを説明した図３と、図９とで共通の処理のステップは、同じ番号で示している。
【００６１】
ＳＴ１５１では、再撮像判定部２９で再撮像が必要かどうか判定される。
【００６２】
ＳＴ１５３では、撮像順序変更部２５で、再撮像が必要な撮像単位が実行撮像単位に追加される。
【００６３】
ＳＴ１５５では、撮像順序変更部２５で、再撮像される撮像単位が追加されたことによる撮像順序の変更が行われる。
【００６４】
ＳＴ１５７では、取得画像順序変更部２７が、取得した画像から磁気共鳴撮像装置１００からＰＡＣＳ３００等の他の外部の記憶装置に送信する際に使用する出力画像を選択する。
【００６５】
ＳＴ１５９では、取得画像順序変更部２７が、使用する画像を含めてＰＡＳに登録された撮像単位の順序に画像を並び替える。
【００６６】
図１０は、実施形態に係る磁気共鳴撮像装置１００の第２の実施形態における再撮像による撮像順序の変更を説明する図である。図１０（ａ）は、図４に示した撮像実行計画と同一の撮像単位および撮像順序を示している。図４と異なる点は、６分平均ＳＡＲなどの値の表示の代わりに、画像の再撮像の要否を判定結果として示す「再撮像要否」の列が示されている。再撮像要否は、再撮像が必要な場合は「要」が、不要な場合は「不要」が表示される。図１０（ａ）に例示した表では、３段目の撮像単位「３Ｄ ＴＯＦ」の撮像において再撮像判定部２９で再撮像が必要と判断され、「要」が示されている。また、４段目の撮像単位「Ｔ１Ｗ ＡＸ」が「実行中」の状況であることが示されている。そこで、撮像順序変更部２５では、再撮像が必要な３段目の撮像単位「３Ｄ ＴＯＦ」を再度実行するため、撮像実行計画の変更を行う。
【００６７】
図１０（ｂ）は、再撮像を行う「３Ｄ ＴＯＦ」を撮像実行計画に追加し、撮像順序の変更を行った、変更後の撮像実行計画を示している。図１０（ｂ）は、再撮像する撮像単位を実行中の４段目の撮像単位「Ｔ１Ｗ ＡＸ」が完了した直後に追加で実施する例を示している。追加された撮像単位「３Ｄ ＴＯＦ（再撮像）」は網掛けで示され、５段目に追加されている。撮像単位「３Ｄ ＴＯＦ（再撮像）」は５段目に追加されたため、シリーズ番号は「５０００」が付番される。図１０（ａ）においてシリーズ番号が「５０００」であった撮像単位「Ｔ２Ｗ ＡＸ」は、５段目に「３Ｄ ＴＯＦ（再撮像）」が挿入されたことで、シリーズ番号が繰り下がり「６０００」が新たに採番される。なお、図１０では追加された撮像単位が実行中の撮像単位の後に追加される例を示したが、未実施の撮像単位の最後に追加されてもよい。また、この並び替えの際に、第１の実施形態で示したＳＡＲの安全基準値を超えないかを判断し、撮像順序が決定されてもよい。
【００６８】
図１１は、実施形態に係る磁気共鳴撮像装置１００の第２の実施形態における撮像が完了した状態の撮像実行計画を説明する図である。図１１は、図１０（ｂ）に示した再撮像による撮像順序変更が実施された撮像実行計画に従ってすべての撮像が実施された例を示している。すべての撮像が完了したため、「状況」の列はすべて「済」となっている。また「再撮像要否」の列には「要」または「不要」の何れかが表示されている。図１１の例では、５段目に追加された「３Ｄ ＴＯＦ（再撮像）」によって取得された画像の画質に問題がなかった場合の例を示している。したがって、取得画像順序変更部２７では、３段目の撮像単位で取得した画像の代わりに、５段目で取得した画像を使用して、最終的にＰＡＣＳ３００等に出力するデータが生成される。
【００６９】
図１２は、実施形態に係る磁気共鳴撮像装置１００の第２の実施形態における取得画像の撮像単位ＩＤからＰＡＳのシリーズ番号を検索する方法を説明する図である。
【００７０】
図１２（ａ）は、図６（ａ）と同一の表であり、ＰＡＳに登録されている撮像計画の情報を示す表である。図１２（ｂ）は、図６（ｂ）と同様に、画像の付帯情報を示す表である。図１２（ｂ）は図６（ｂ）に加えて、再撮像要否情報を含んでいる。再撮像要否情報は、再撮像判定部２９で再撮像が必要か否かの判定によって付与された情報であり、再撮像が必要と判断された撮像単位について「要」という情報が付与される。なお、図１２（ｂ）の例では、「不要」や「要」といった文字列で示しているが、「０」や「１」または「True」や「False」などの数字や文字列で表されていてもよく、再撮像が必要か否かを判断できる記号であれば限定されない。また、図１２（ｂ）の撮像単位ＩＤは、図６（ｂ）と異なりアルファベット４文字にアルファベット１文字と数字を組み合わせたコードが付加されている。このコードは再撮像した撮像単位か否かを示すコードであり、図１２（ｂ）の例では、「Ｚ」は当初の撮像単位を示し、「Ｒ」は再撮像であることを示し、これらのアルファベットの横に付与された数字はそれぞれ何回目の撮像かを示している。たとえば、再撮像の場合は「Ｒ０」が付与され、再撮像において取得された画像について再撮像要否情報が「要」であった場合に、再々撮像が実行されることとなるが、その場合は「Ｒ１」が付与されることとなる。また、たとえば、ＰＡＳの撮像計画において、同一撮像条件で実施される同種の撮像単位が複数含まれるような場合は、ＰＡＳに登録されている順序で「Ｚ０」、「Ｚ１」のようにコードが付与されることで、それぞれの撮像単位を一意に特定することができる。
【００７１】
図１２（ｃ）は、図６（ｃ）と同様に、図１２（ｂ）の撮像単位ＩＤをキーとして、図１２（ａ）のＰＡＳのシリーズ番号を検索した結果を示している。このように取得画像順序変更部２７では、第１の実施形態と同様に、画像の付帯情報の撮像単位ＩＤをキーとして、ＰＡＳに登録された撮像単位ＩＤに対応するシリーズ番号を検索することができる。図１２の例では、図１２（ｂ）の３段目の撮像単位の撮像単位ＩＤは「ＣＣＣＣ Ｚ０」であり、その再撮像単位である５段目の撮像単位の撮像単位ＩＤは「ＣＣＣＣ Ｒ０」である。撮像単位ＩＤに「Ｒ」が含まれる場合は、再撮像が実行されたことを示すため、Ｒより左側の「ＣＣＣＣ」でＰＡＳの撮像単位ＩＤを検索する。それにより図１２（ｂ）の３段目の撮像単位の撮像単位ＩＤおよび５段目の撮像単位のＰＡＳのシリーズ番号は「３０００」であることがわかる。このように、再撮像が行われた撮像単位同士のシリーズ番号は同一となる。なお、画像の並び替えを実行する際は、並び替えに使用する画像が予め選択されているため、再撮像によりシリーズ番号の同一になる場合であっても、最終的には１つのシリーズ番号には１つの画像が割り当てられる。
【００７２】
図１３は、実施形態に係る磁気共鳴撮像装置の第２の実施形態における取得画像の並び替えを説明する図である。図１３は図７と同様に、上から、図１２（ｃ）に示した画像の付帯情報の撮像単位ＩＤ基づき取得されたＰＡＳのシリーズ番号、画像の付帯情報のシリーズ番号、再撮像要否情報、取得画像の順序、並び替え後の取得画像の順序を示している。図１２と同様に、取得した画像は、ＰＡＳに登録された順序と比較して左から３つ目の撮像単位「３Ｄ ＴＯＦ」の再撮像要否が「要」であり、再撮像判定部２９より再撮像が要求され、５つ目に撮像単位「３Ｄ ＴＯＦ（再撮像）」が追加され、それに伴い撮像単位「Ｔ２Ｗ ＡＸ」の撮像順序が繰り下がって６つ目になっている例を示している。
【００７３】
図１３の再撮像要否情報が示すように、３つ目に取得された撮像単位「３Ｄ ＴＯＦ」の再撮像要否は「要」あり、磁気共鳴撮像装置１００から出力する画像として使用するのに適切ではない。一方、５つ目に取得された撮像単位「３Ｄ ＴＯＦ（再撮像）」の再撮像要否は「不要」であり、使用するのに適している。このように、取得画像順序変更部２７は、取得した画像が再撮像を要求するものである場合は、最終的に再撮像が不要と判断された画像を使用画像として選択することができる。このように再撮像要否を基準として使用する画像を選択し、図７と同様に、一番上のＰＡＳのシリーズ番号に合わせて、取得した画像の順序を矢印で示すように入れ替えることで、画像の順序を入れ替えることができる。図１３の例では、３つ目の「３Ｄ ＴＯＦ」の画像の代わりに、５つ目の「３Ｄ ＴＯＦ（再撮像）」の画像が並べられ、次に、４つ目に取得された「Ｔ１Ｗ ＡＸ」の画像、その次に「Ｔ２Ｗ ＡＸ」の画像が並べられることで、ＰＡＳに登録された撮像順序で画像を並べ替えることができる。
【００７４】
図１３では、再撮像判定部２９において判断された再撮像が必要か否かを、最終的に出力する画像の選択に利用した例を示したが、複数撮像した画像から、最終的にどの画像を採用すべきかを放射線技師等の目視で決定することもできる。
【００７５】
図１４は、実施形態に係る磁気共鳴撮像装置１００の第２の実施形態における再撮像画像の選択方法を説明する図である。図１４は、図１１に示した表と同様に、再撮像の必要な撮像単位が撮像実行計画に追加され、すべての撮像が実施された例を示している。図１１の表に加えて、図１４の表には「選択」の列が追加され、並び替えに使用する画像のチェックボックスにチェックを入れることで選択可能な例を示している。このチェックボックスへのチェックは、たとえば、再撮像要否情報が「不要」のものに予めチェックを付与して表示し、ユーザである放射線技師等は、その状態を確認して採用する画像を選択してもよい。たとえば、３段目の「３Ｄ ＴＯＦ」の画像と５段目の「３Ｄ ＴＯＦ（再撮像）」の画像を比較し、放射線技師等による判断で３段目の「３Ｄ ＴＯＦ」を使用したい場合は、３段目にチェックし、５段目のチェックを外す操作を、入力部３０から行えばよい。また、図１３の例では、すべての画像について「選択」のチェックボックスが示されているが、再撮像の対象となった画像のみチェックボックスを表示し、選択を行うように表示してもよい。さらに、１段目や２段目の「Locator 3 Axis」や「Shimming」の画像は読影や診断に使用しない場合もあることから、図１３に例示された表示を確認して、使用する画像のみを選択し、選択された画像のみを用いて並び替えを行うようにしてもよい。
【００７６】
このように、再撮像の要請により検査実行中に撮像順序の変更が生じた場合に、取得した画像をＰＡＳに登録された順序で並び替えてＰＡＣＳ３００等に出力することで、第１の実施形態と同様に、検像のコストを省くことができる。また、再撮像が実施された場合、必要な画像のみを抽出して並び替えの対象とすることで、磁気共鳴撮像装置１００から出力される画像に不要な画像が含まれず、必要な画像のみを出力できるため、混同や誤った削除等の人為的ミスを防ぐことができる。さらに、データ量の削減により、磁気共鳴撮像装置１００からＰＡＣＳ３００等への通信量の削減による通信スピードの向上などにもつながる。
【００７７】
なお、本実施形態に係る磁気共鳴撮像装置１００の実施形態は、ＰＡＳに登録された撮像単位の撮像順序の変更が発生する要因として、ＳＡＲの安全基準値に係る制御および再撮像の実行に係る制御を例としたが、それらに限られるものではない。磁気共鳴撮像装置１００を含めたモダリティ装置の安全性や品質の維持の面で発生する、たとえば、ハードディスクの空き容量のチェックやＸ線撮像装置やＸ線ＣＴ装置におけるＸ線管の劣化のチェックなど、モダリティ装置自体のチェックにかかわる撮像順序の変更なども、撮像順序の変更が発生する要因として想定される。
【００７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７９】
１  静磁場電源
２  傾斜磁場電源
３  ＲＦ受信器
４  ＲＦ送信器
５  ＳＡＲ測定器
６  シーケンスコントローラ
７  コンピュータ
８  撮像部
９  寝台部
１０  磁石架台
１１  静磁場磁石
１２  傾斜磁場コイル
１３  ＲＦコイル
２０  主制御部
２１  撮像管理部
２３  ＳＡＲ算出部
２５  撮像順序変更部
２７  取得画像順序変更部
２９  再撮像判定部
３０  入力部
４０  表示部
５０  記憶部
５１  撮像計画記憶部
６０  通信制御装置
１００  磁気共鳴撮像装置
２００  ＲＩＳ
３００  ＰＡＣＳ
Ｐ  被検体
【図１】
2015100681.tif 000003
【図２】
2015100681.tif 000004
【図３】
2015100681.tif 000005
【図４】
2015100681.tif 000006
【図５】
2015100681.tif 000007
【図６】
2015100681.tif 000008
【図７】
2015100681.tif 000009
【図８】
2015100681.tif 000010
【図９】
2015100681.tif 000011
【図１０】
2015100681.tif 000012
【図１１】
2015100681.tif 000013
【図１２】
2015100681.tif 000014
【図１３】
2015100681.tif 000015
【図１４】
2015100681.tif 000016